(57)【要約】【課題】  皿の上で切る際に、簡単で安定した操作ができる事と、一定した場所で切り落とす、又は削り落とす、又は擦り下ろす事ができる野菜カッターを提供する。【解決手段】上記課題を解決するために、本発明は、表面に刃を形成し、更に裏面に貫通する孔を有した台座部に脚部と把持部を形成した事を特徴とする野菜カッターを提供する。【選択図】    図１
2005088182.tif 000002
【特許請求の範囲】
【請求項１】
表面に刃を形成し、更に裏面に貫通する孔を有した台座部に脚部と把持部を形成した事を特徴とする野菜カッター。
【請求項２】
少なくとも台座部の周囲端部に二つ、又は、少なくとも台座部の周囲端部に一つそして把持部に一つ、脚部を形成した請求項１項に記載の野菜カッター。
【請求項３】
板状又は棒状部材からなる脚部の軸線を台座部の上面又は上面の延長線に対し９０°以上の角度を有して外側に開いて形成し、その際、少なくとも脚部端部の内側が、脚部の上部に位置する台座部又は／及び把持部の先端部を通る台座部の上面又は上面の延長線と直交する線よりも外側に形成されている請求項２に記載の野菜カッター。
【請求項４】
脚部に回転軸を形成した請求項１〜３のいずれかに記載の野菜カッター。
【請求項５】
脚部を少なくとも２本の棒状又は板状部材で形成した請求項１〜４のいずれかに記載の野菜カッター。
【請求項６】
板状部材の下側に、容器に嵌合させるための凹部又は凸部を形成した請求項１〜５のいずれかに記載の野菜カッター。
【発明の詳細な説明】
【発明の詳細な説明】
【技術分野】
【０００１】  本発明は野菜や果物を切ったり、削ったり、擦り下ろしたりする野菜カッターに関する。
【背景技術】
【０００２】  従来、この種の野菜カッターは使用する際には、皿又はまな板などの上にその先端部を乗せて、カッターの手前を把持し持ち上げて使用していた。皿の上縁に乗せて作業するとその動作の連動で皿が動いたりひっくり返ったりする不具合が生じていた。皿から離すと、保持するのに力が要り主婦にとっては大変な作業となっていた。
【発明が解決しようとする課題】
【０００３】  本発明は上記の問題を解決するもので、皿の縁部から上側に離して位置させ且つ、安定させて切り落とす事、又は削り落とす事、又は擦り下ろす事を課題とする。
【課題を解決するための手段】
【０００４】    上記課題を解決するために、本発明の第一の態様は、表面に刃を形成し、更に裏面に貫通する孔を有した台座部に脚部と把持部を形成したことを特徴とする野菜カッターを提供する。
【発明を実施するための最良の形態】
【０００５】  以下、図面を参照しながら本発明の各種態様に係る野菜カッターに関して説明する。以下の説明は、本発明の技術思想を具現化する幾つかの具体例を説明するものであり、本発明は以下の説明に限定されるものではない。【０００６】  図１は本発明の野菜カッターの形態を示す斜視図である。図１に示される野菜カッターは表面に刃１を取り付けて、更に孔２を形成した台座部３とその片側端部の下側に形成された脚部４と反対側に形成された把持部５とで構成されている。これを使用する際には、野菜を刃１に当てながら、台座部３の上面を前後に動かす。切られ又は削られ又は擦られた野菜は孔２を通って下方に落ちる事となる。本発明の野菜カッターには脚部４が形成されているので、切った野菜を皿の上に盛り付ける場合、把持部５を保持しながら、皿の外側に脚部４を置く事で、刃１が皿から略一定した高さを有する事ができ、そのため落としたい位置に、野菜を切り落とす、又は削り落とす、又は擦り下ろす事ができる。実施上、脚部４は台座部３の下側にあれば形成位置は任意である。又、脚部４の高さは台座部３の底部より脚部４の底部まで３ｃｍ以上ある事が下側に皿を置くのに好ましい。又、脚部４の位置を台座部３の下側で任意に変えられる構造としても良い。又、その他の部分に就いて云えば、台座部３の寸法は幅が８〜１０ｃｍ程度、長さは１５〜２０ｃｍ程度が好ましい。又、刃１と孔２の形状は任意である。又、孔２の出口に切った物を下方に案内する案内板を付けても良い。又、把持部５の形成位置、又方向は任意であるが、実施上は脚部４と対向する方向で、端部に形成する事が好ましい。又、幅は３〜４ｃｍ程度、長さは縦方向又は横方向で１０ｃｍ程度が好ましい。又、ここで云う把持部とは指先でも握れるものであれば把持部と云う。又、把持部５を斜め下方に伸張して、置いた際に台座部３が水平になるよう、脚部４と同程度の高さになるよう形成しても良い。このようにすると、置いた際、脚部としても機能し安定性を増すことができる。又、先端部は更に安定させるために広げてある事が好ましい。又、刃１と孔２に就いて云えば、刃１の形状はいかなる形状のものでも構わない。図１では野菜を薄く切るための板状の刃１を示しているが、野菜を擦り下ろすためのギザギザな形状の刃でも良い。野菜を切る、削る、擦り下ろす事のできるものは全て刃見なす事ができる。又、孔２の形状も任意である。【０００７】  図２は本発明の他の態様に係る野菜カッターの形態を示す側面図である。図２に示す野菜カッターは台座部３の片側端部と把持部５の端部に脚部４が形成されている。このようにすると、台座部３の片側だけに脚部４を有するだけのものに比べ、置いた際に、より安定させる事ができる。実施上、脚部４は把持部５の端部に形成したほうが、下側に大きな皿を置く事ができるので好ましい。又、図２では板状又は棒状部材からなる脚部４の軸線９を台座部３の上面１０に対し９０°以上の角度１１を有して外側に開いて形成している。その際、少なくとも脚部４の端部の内側が脚部４の真上に位置する台座部３及び／又は把持部５の先端部を通る台座部の上面１０と直交する線１２よりも外側に形成されている。このようにする事で、台座部３と把持���５と脚部４を同じ形に形成した本発明の野菜カッターを重ね合わせるような場合、例えば本野菜カッターの刃をいろいろな種類のものにし、セットにして使用し、使用後上下に重ね合わせて収納するような場合であるが、脚部４が台座部３の上面１０直交する形で形成されていると、重ね合わせる際、脚部４の先端が重ねようとする下側の台座部３及び／又は把持部５の上面に当たってしまい、二つの間隔を脚部４の高さ以下に狭める事はできないが、本発明のように形成することで下側の台座部３及び把持部５が上側の脚部４の内側に入り、上下の間隔を狭めることができる事となる。実施上、脚部４の内側全体が直交する線１２より外側に位置する事が好ましい。又、請求項３で台座部３の上面又は上面の延長線としているのは、把持部５が下方に傾斜して形成されている様な場合、その傾斜角度が任意のため、把持部５の上面との間では角度を設定できず、台座部３の上面との角度で設定せざるを得ないところから、台座部上面の延長線としている。又、ここで台座部及び／又は把持部としているのは、台座部３と把持部５の両側をこのように形成しても良いし、片側だけでも効果を生じさせる事ができる事を示している。勿論、両側に形成する事がより狭める事ができることは云うまでも無い。又ここで云う脚部４の軸線９とは、脚部４の付け根部と中央部の部材の内側を貫通し伸張する直線であって、且つ、付け根部と中央部の２点において、その幅及び厚さの２方向から見て、共にその中央となる点を通る直線を云う。【０００８】  図３は本発明の他の態様に係る野菜カッターの形態を示す正面図ａと側面図ｂである。図３に示す野菜カッターは台座部３の両側端部に脚部４を形成したものである。このようにすると安定性を増す事ができる。又、本図は上記と同様の考え方で、脚部４の先端部を外側に開いたものである。このようにしても重ね合わせる際、上記と同様の効果を得る事ができる。実施上、台座部３の周囲端部に複数の脚部を形成しても良い。【０００９】  図４は本発明の他の態様に係る野菜カッターの脚部４の構造を示す側面図である。図４に示す野菜カッターは脚部４の台座部３及び把持部５との接合部分に回転軸１３を形成したものである。このようにすると、使用しない時には、脚部４を上側に折りたたむ事ができるので収納する際に場所を取らずすむので都合が良い。実施上、回転軸１３の形成位置は脚部４の上側が好ましく、図４で示す把持部５との接合部に形成するのがコンパクトにする点から最も好ましい。又、図４で示すように脚部４の先端を開いて固定するように形成すると、上記で説明したように、置いた際に安定性が増す事と、重ね合わせが可能となるので好ましい。回転軸１３を形成する場合、台座部３の両側に形成しても良いし、台座部３と把持部５に形成しても良いし、又、台座部３の片側だけに形成しても良い。又、先端部が開いてある方が、切ったり、擦ったりする動きで脚部４が内側に滑り戻る事を防ぐ事ができる。【００１０】  図５は本発明の他の態様に係る野菜カッターの脚部４の構造を示す平面図ａとｂとｃであり、図５は脚部４を下側から見た図である。図５−ａに示す野菜カッターは脚部４が２本の棒状部材で形成されている。このようにすると、���の縁を２本の脚部４に接触させ、沿わせて回転させる事により、刃１と脚部４の間隔が一定である事から皿の縁に沿って切った物を皿に盛る事ができる。又、図５−ｂに示すように板状部材を湾曲させて脚部４を形成しても良い。このようにして、板状部材の両先端部の２箇所に皿の縁を接触させれば、効果は前記と同様である。又、図５−ｃに示すように板状部材を屈曲させて脚部４を形成しても良い。これも効果は前記と同様である。実施上、脚部間の寸法は８〜１０ｃｍ程度が好ましい。高さは２ｃｍ以上ある事が好ましい。又、脚部４は台座部３の面に対して直交する必要は無く、前述のごとく先端部を外側に開いた形でも良い。【００１１】  図６は、本発明の他の態様に係る野菜カッターの容器７との取り合いを示す断面図ａとｂとｃである。図６−ａは台座部３の下部に凹部６を形成し、容器７の縁を曲げて、横方向に嵌合させたものである。ここで云う台座部３の下部とは台座部３の下側方向を示すものであり、脚部４及び把持部５の下側も範囲に含まれるものである。又、同様に台座部３と容器７とを嵌合させる方法として図６−ｂで示すように台座部３の下部に容器７の縁に沿って凸部８を形成して容器７の内側に嵌合させる事ができる。この場合、脇に形成されている凹部６と嵌合している事と取ることもできる。又、図６−ｃで示すように容器７の外側に嵌合しても良い。又、ここで云う容器７の縁に沿うというのは、連続している必要はなく断続していても良い。【００１２】  上記において、本発明の野菜カッターの各部分の好ましい寸法に就いて言及したが、上記の説明に限定される事なく、形状、寸法、角度などは適宜経験的に決定する事ができる。又、材質に就いても同様、金属、セラミック、プラスチックなど、適宜経験的に決定できる。
【発明の効果】
【００１３】  本発明に係る野菜カッターによれば、脚部を利用して刃を高い位置に安定して保持できるため、皿の上などで切る際に簡単に操作ができる事と、一定した場所に切り落とす又は削り落とす又は擦り下ろす事ができる。
【図面の簡単な説明】
【図１】  本発明の一態様に係る野菜カッターの形態を示す斜視図である。
【図２】  本発明の他の態様に係る野菜カッターの形態を示す側面図である。
【図３】  本発明の他の態様に係る野菜カッターの形態を示す正面図ａと側面図ｂである。
【図４】  本発明の他の態様に係る野菜カッターの形態を示す側面図である。
【図５】  本発明の他の態様に係る野菜カッターの脚部の構造を示す平面図ａ，ｂ，ｃである。
【図６】  本発明の他の態様に係る野菜カッターの容器との取り合いを示す断面図ａとｂとｃである。
【符号の説明】
１    刃
２    孔
３    台座部
４    脚部
５    把持部
６    凹部
７    容器
８    凸部
９    軸線
１０  台座部の上面
１１  角度
１２  直交する線
１３  回転軸
【図１】
2005088182.tif 000003
【図２】
2005088182.tif 000004
【図３】
2005088182.tif 000005
【図４】
2005088182.tif 000006
【図５】
2005088182.tif 000007
【図６】
2005088182.tif 000008